(57)【要約】【課題】前日の実績を反映して当初の工程計画に対する当日の作業予定を作成し、当日の作業予定に対する実績を把握することにより作業の進捗を管理する、作業現場の実情に即した作業日報管理システム及び作業日報の管理方法を提供することを目的とする。【解決手段】予定日報作成部１３で計画情報データベース１５に格納された工程計画に関する情報を参照しながら、作業現場からの入力データを受信して予定日報を作成し、作業予定に関する情報は予定情報データベース１７に格納される。実績日報の作成においては、実績日報作成部１４で予定情報データベース１７に格納された作業予定に関する情報を参照しながら、作業現場からの入力データを受信して実績日報を作成し、作業実績に関する情報は実績情報データベース１６に格納される。【選択図】　　　　　　図２
2004086377.tif 000002
【特許請求の範囲】
【請求項１】
作業の進捗状況を管理するための日報管理システムであって、
前記作業の計画情報を格納する計画情報格納手段と、
前記計画情報格納手段に格納された前記計画情報を参照して前記作業の特定期間における作業予定を定めた予定情報を含む予定日報を作成する予定日報作成手段と、
前記予定情報を格納する予定情報格納手段と、
を備えることを特徴とする作業日報管理システム。
【請求項２】
作業の進捗状況を管理するための日報管理システムであって、
前記作業の特定期間における作業予定を定めた予定情報を格納する予定情報格納手段と、
前記予定情報格納手段に格納された前記予定情報を参照して前記作業予定に対する実績情報を含む実績日報を作成する実績日報作成手段と、
前記実績情報を格納する実績情報格納手段と、
を備えることを特徴とする作業日報管理システム。
【請求項３】
前記予定情報格納手段に格納された前記予定情報を参照して前記作業予定に対する実績情報を含む実績日報を作成する実績日報作成手段と、前記実績情報を格納する実績情報格納手段と、
を備えることを特徴とする請求項１記載の作業日報管理システム。
【請求項４】
前記予定日報作成手段は、前記計画情報格納手段に格納された計画情報のうち前記特定期間に実施が計画されている作業に関する計画情報を抽出することを特徴とする請求項１又は３記載の作業日報管理システム。
【請求項５】
前記予定日報を利用者端末に表示する予定日報表示手段を備えており、
前記利用者端末に表示される前記予定日報には前記特定期間に実施が計画されている作業に関する計画情報が表示され、
前記利用者端末から受信した前記特定期間に実施が計画されている作業の計画情報についての変更情報を前記予定情報として前記予定情報格納手段に格納することを特徴とする請求項４記載の作業日報管理システム。
【請求項６】
前記計画情報には前記作業に含まれる資源に関する計画情報が含まれており、
前記予定日報表示手段は前記資源に関する計画情報を表示することを特徴とする請求項５記載の作業日報管理システム。
【請求項７】
前記実績日報作成手段は、前記予定情報格納手段に格納された予定情報のうち前記特定期間に実施が予定されている作業に関する予定情報を抽出することを特徴とする請求項２又は３記載の作業日報管理システム。
【請求項８】
前記実績日報を利用者端末に表示する実績日報表示手段を備えており、
前記利用者端末に表示される前記実績日報には前記特定期間に実施が予定されている作業に関する予定情報が表示され、
前記利用者端末から受信した前記特定期間に実施が予定されている作業の予定情報についての変更情報を前記実績情報として前記実績情報格納手段に格納することを特徴とする請求項７記載の作業日報管理システム。
【請求項９】
前記予定情報には前記作業に含まれる資源に関する予定情報が含まれており、
前記実績日報表示手段は前記資源に関する予定情報を表示することを特徴とする請求項８記載の作業日報管理システム。
【請求項１０】
前記予定日報を利用者端末に表示する予定日報表示手段と、
前記実績日報を利用者端末に表示する実績日報表示手段と、を備えており、
前記利用者端末に表示される前記予定日報には前記計画情報格納手段に格納された前記特定期間における作業の計画情報が表示され、
前記利用者端末に表示される前記実績日報には前記計画情報格納手段に格納された前記特定期間における作業の計画情報及び前記予定情報格納手段に格納された前記特定期間における作業の予定情報が表示されることを特徴とする請求項３記載の作業日報管理システム。
【請求項１１】
前記予定日報を格納する予定日報格納手段を備えており、前記実績日報作成手段は、前記実績日報に対応する予定日報に関する情報を前記予定日報格納手段から抽出することを特徴とする請求項３乃至１０記載の作業日報管理システム。
【請求項１２】
前記特定期間には作業の実施日が一日単位で定められ、前記予定情報は前記実施日の当日以前に前記予定情報格納手段に格納されることを特徴とする請求項１乃至１１記載の作業日報管理システム。
【請求項１３】
作業の進捗状況を管理するための日報の管理方法であって、
前記作業の計画情報をコンピュータに格納するステップと、
コンピュータが前記計画情報を参照して前記作業の特定期間における作業予定を定めた予定情報を含む予定日報を作成するステップと、
前記予定情報をコンピュータに格納するステップと、
を有することを特徴とする作業日報の管理方法。
【請求項１４】
作業の進捗状況を管理するための日報の管理方法であって、
前記作業の特定期間における作業予定を定めた予定情報をコンピュータに格納するステップと、
コンピュータが前記予定情報を参照して前記作業予定に対する実績情報を含む実績日報を作成するステップと、
前記実績情報をコンピュータに格納するステップと、
を有することを特徴とする作業日報の管理方法。
【請求項１５】
コンピュータが前記予定情報を参照して前記作業予定に対する実績情報を含む実績日報を作成するステップと、
前記実績情報をコンピュータに格納するステップと、
を有することを特徴とする請求項１３記載の作業日報の管理方法。
【発明の詳細な説明】
【０００１】
【発明の属する技術分野】
本発明は、複数の作業からなる建設工事等における作業について、作業現場における作業の進捗状況を管理するための作業日報管理システム及び作業日報の管理方法に関するものである。
【０００２】
【従来の技術】
建設工事においては、工期や工事費の管理の観点から工事の進捗を管理することが重要であるため、着工前に工期や工事費等を定めた工程計画を作成し、建設現場での作業はこの工程計画に則って進められている。工程計画においては、なるべく現場における実態を反映した計画を容易に作成することが必要なため、かかる観点から工程計画を作成又は管理する発明がなされている（例えば特許文献１、特許文献２参照）。
【０００３】
通常、工程計画においては、工事期間に行うべき作業の計画がそれぞれの日単位に定められている。このように工程計画で定められた作業計画に対して、どの程度作業が進捗したかを適宜把握することが重要である。作業の進捗状況については、作業現場において計画に対してどの程度作業が進捗したかを記録する作業日報が、作業の実施日毎に作成されることが一般的である。
【０００４】
ここで作成される従来の作業日報は、工程計画において定められた作業に対して、当日の作業がどの程度進捗したかの実績を記録することにより行われている。作業日報の管理はコンピュータシステムにより行われることも多くなっているが、従来の作業日報作成システムは、図１の例に示す通り、計画情報を記録したデータベースから計画値を抽出して日報を作成し、日報に記録された実績情報をデータベースに記録するよう構成されているものが一般的である。
【０００５】
【特許文献１】
特開２０００−１７０３７９号公報
【特許文献２】
特開平９−１５８４７９号公報
【０００６】
【発明が解決しようとする課題】
図４は、従来の作業日報管理システムを用いた作業の進捗管理の概念を示している。通常、建設業における現場の進捗管理は、図４に示す通り、工程計画「Ｐｌａｎ」から当日の作業予定を確認し、作業予定を基に現場で作業を実施する「Ｄｏ」、当日の作業終了後に作業実績を集計する「Ｃｈｅｃｋ」、当日の作業実績から工程計画を見直して翌日の作業予定を検討する「Ａｃｔｉｏｎ」を繰返すサイクルにより行われている。しかしながら、従来の作業日報管理システムは「Ｐｌａｎ」と「Ｃｈｅｃｋ」を対比した日報が作成されることとなっていて、「Ａｃｔｉｏｎ」の管理が連動しないシステムとなってしまっている。
【０００７】
従来の作業日報管理システムは上記のような構成となっているために、工程中の一部の作業に遅れが生じたなどの理由で、当初の計画のままでは作業予定の確認に支障が生じるような場合には、工程計画のマスターデータ自体を変更しなければならない、という問題が生じている。
【０００８】
図５には、本来行われるべき作業の進捗管理の概念が示されているが、当日の実績である「Ｃｈｅｃｋ」は当日の直前に作成された「Ａｃｔｉｏｎ」と対比することが当日の進捗を把握するためには望ましく、その実績を反映して作成された「Ａｃｔｉｏｎ」に対して翌日の「Ｄｏ」が行われることが望ましい。また、「Ａｃｔｉｏｎ」を作成する際には全体の工程計画である「Ｐｌａｎ」を確認し、進捗によっては「Ｐｌａｎ」に修正を加えることが望ましい。
【０００９】
従来の作業日報管理システムにより、「Ｐｌａｎ」と「Ｃｈｅｃｋ」を対比した作業日報を運用した場合の一例を、図６に示している。ここでは、例えば１０月１日に作業を全く行えなかったために１０月２日は前日分も含めて特急で作業を進めているが、作業日報では当初の工程計画に対しては大幅に進捗したことが表れるものの、前日の遅れを考慮した予定分に対してどの程度進捗したかを把握することが出来ないという問題が生じている。
【００１０】
これに対し、図７では「Ｐｌａｎ」と「Ａｃｔｉｏｎ」、「Ａｃｔｉｏｎ」と「Ｃｈｅｃｋ」を対比した望ましい作業日報を運用した場合の一例を示している。ここでは、１０月１日に作業を全く行えなかったために１０月２日の作業予定は前日分も含めて多めに設定し、作業日報に記録される実績からは当初の工程計画に対して大幅に進捗しただけでなく、前日に見直した予定に対しても進捗が超過したことを把握することができる。１０月３日についても天候を考慮して予定を抑え気味に設定し、実績は当初の工程計画を下回っているものの、悪天候を前提とした予定よりは進捗したことを把握することができる。
【００１１】
本発明は、このような従来の作業日報管理システムが有する課題に対応して、前日の実績を反映して当初の工程計画に対する当日の作業予定を作成し、当日の作業予定に対する実績を把握することにより作業の進捗を管理する、作業現場の実情に即した作業日報管理システム及び作業日報の管理方法を提供することを目的とするものである。
【００１２】
【課題を解決するための手段】
これらの課題を解決するために、本発明は、作業の進捗状況を管理するための日報管理システムであって、前記作業の計画情報を格納する計画情報格納手段と、前記計画情報格納手段に格納された前記計画情報を参照して前記作業の特定期間における作業予定を定めた予定情報を含む予定日報を作成する予定日報作成手段と、前記予定情報を格納する予定情報格納手段と、を備えることを特徴とする。
【００１３】
この発明においては、工事の当初に作成された工程計画を参照しながら、より細かな作業予定を定める予定日報を作成することにより、現場における作業の進捗状況を反映したより具体的な作業予定を管理することができる。従来の作業日報作成システムにおいては工程計画に関するデータをそのまま当日の作業予定として利用されていたため、この発明により、現場の状況を反映したより木目細やかな進捗管理を行うことができる。
【００１４】
ここで「作業」とは、建設工事などの工事を構成する作業を意味し、工事の工程には通常は複数の作業が含まれている。「作業」の内容は建設工事に関するものに限られず、日報により工程の進捗管理を行うことが可能な全ての作業が含まれる。「計画情報」とは、通常は工事の着工前に定められるそれぞれの作業の工程計画であり、着工後の進捗状況により変更された計画も含まれる。
【００１５】
「特定期間」は、通常は作業の進捗を確認するサイクルである１日単位で指定されるが、このサイクルの設定によっては、１週間や１０日などを単位として指定してもよい。「予定情報」は、特定期間に実施すべき作業の作業量等を定めた情報で、計画情報に作業の進捗等の現場の状況を勘案して定められる。予定情報を含む特定期間単位の作業に関する情報をまとめたものが、「予定日報」となる。
【００１６】
また、本発明は、作業の進捗状況を管理するための日報管理システムであって、前記作業の特定期間における作業予定を定めた予定情報を格納する予定情報格納手段と、前記予定情報格納手段に格納された前記予定情報を参照して前記作業予定に対する実績情報を含む実績日報を作成する実績日報作成手段と、前記実績情報を格納する実績情報格納手段と、を備えることを特徴とする。
【００１７】
この発明においては、特定期間の作業の開始前に作成された作業予定を参照しながら、作業予定に対応した実績日報を作成することにより、個々の期間における作業予定に対応したより現場管理に適した作業実績を把握することができる。従来の作業日報作成システムにおいては工事の当初に作成された工程計画に対して実績を把握されていたため、この発明により、現場の状況を反映したより木目細やかな実績の進捗管理を行うことができる。
【００１８】
「作業」、「特定期間」及び「予定情報」の意味については、前記の場合と同様である。「実績情報」とは、予定情報に対応して特定期間に実際に実施した作業の作業量等に関する情報であり、「実績日報」とは、実績情報を含む特定期間単位の作業に関する情報をまとめて実績を管理するための資料となるものである。
【００１９】
さらに、本発明は、前記予定情報格納手段に格納された前記予定情報を参照して前記作業予定に対する実績情報を含む実績日報を作成する実績日報作成手段と、前記実績情報を格納する実績情報格納手段と、を備えることを特徴とすることもできる。
【００２０】
このように構成すると、前記予定日報の作成と前記実績日報の作成を、現場における一連の作業の進捗管理と並行して行うことができるので、現場のフローと一体となった作業に関する進捗データの管理を行うことができる。
【００２１】
前記予定日報作成手段は、前記計画情報格納手段に格納された計画情報のうち前記特定期間に実施が計画されている作業に関する計画情報を抽出することを特徴とすることもできる。また、前記予定日報を利用者端末に表示する予定日報表示手段を備えており、前記利用者端末に表示される前記予定日報には前記特定期間に実施が計画されている作業に関する計画情報が表示され、前記利用者端末から受信した前記特定期間に実施が計画されている作業の計画情報についての変更情報を前記予定情報として前記予定情報格納手段に格納することを特徴としてもよい。さらに、前記計画情報には前記作業に含まれる資源に関する計画情報が含まれており、前記予定日報表示手段は前記資源に関する計画情報を表示することを特徴としてもよい。
【００２２】
この構成においては、計画情報の中から特定期間に対応する作業に関する計画を抽出し、この計画と対比しながら実際の進捗を勘案して予定日報を作成することができる。また、抽出した計画情報に変更がない場合はそのままの計画情報を、計画情報が変更された場合は変更部分を予定情報として記録することとすれば、システム上の処理を効率化することができる。
【００２３】
計画情報には、作業に含まれる資源を細分化して表示することとして、より木目細やかな管理を行ってもよい。ここで「資源」とは、作業に投入する資材や工数などを意味しており、鉄筋やコンクリートの数量、必要な作業員の人数などが該当する。
【００２４】
前記実績日報作成手段は、前記予定情報格納手段に格納された予定情報のうち前記特定期間に実施が予定されている作業に関する予定情報を抽出することを特徴とすることもできる。また、前記実績日報を利用者端末に表示する実績日報表示手段を備えており、前記利用者端末に表示される前記実績日報には前記特定期間に実施が予定されている作業に関する予定情報が表示され、前記利用者端末から受信した前記特定期間に実施が予定されている作業の予定情報についての変更情報を前記実績情報として前記実績情報格納手段に格納することを特徴としてもよい。さらに、前記予定情報には前記作業に含まれる資源に関する予定情報が含まれており、前記実績日報表示手段は前記資源に関する予定情報を表示することを特徴としてもよい。
【００２５】
この構成においては、予定情報の中から特定期間に対応する作業に関する予定を抽出し、この予定に対応させて実際の進捗を突合して実績日報を作成することができる。また、抽出した予定情報に変更がない場合はそのままの予定情報を、予定情報が変更された場合は変更部分を実績情報として記録することとすれば、システム上の処理を効率化することができる。
【００２６】
予定情報には、作業に含まれる資源を細分化して表示することとして、より木目細やかな管理を行ってもよい。ここでの「資源」の意味については、前記の場合と同様である。
【００２７】
さらに、本発明は、前記予定日報を利用者端末に表示する予定日報表示手段と、前記実績日報を利用者端末に表示する実績日報表示手段と、を備えており、前記利用者端末に表示される前記予定日報には前記計画情報格納手段に格納された前記特定期間における作業の計画情報が表示され、前記利用者端末に表示される前記実績日報には前記計画情報格納手段に格納された前記特定期間における作業の計画情報及び前記予定情報格納手段に格納された前記特定期間における作業の予定情報が表示されることを特徴とすることもできる。
【００２８】
このように構成すると、計画情報の中から特定期間に対応する作業に関する計画を抽出してこの計画と対比しながら実際の進捗を勘案して予定日報を作成し、予定情報の中から特定期間に対応する作業に関する予定を抽出してこの予定に対応させて実際の進捗を突合して実績日報を作成することにより、前記予定日報の作成と前記実績日報の作成を、現場における一連の作業の進捗管理と並行して行うことができるので、現場のフローと一体となった作業に関する進捗データの管理を行うことができる。
【００２９】
さらに、本発明は、前記予定日報を格納する予定日報格納手段を備えており、前記実績日報作成手段は、前記実績日報に対応する予定日報に関する情報を前記予定日報格納手段から抽出することを特徴とすることもできる。
【００３０】
このように構成すると、予定日報の各項目に対応させて実際の進捗を突合して実績日報を作成することができるので、予定日報作成と実績日報作成を一連の作業として管理しやすくなるとともに、システム上の処理を効率化することができる。
【００３１】
さらに、前記特定期間には作業の実施日が一日単位で定められ、前記予定情報は前記実施日の当日以前に前記予定情報格納手段に格納されることを特徴とすることもできる。
【００３２】
建設工事等の作業現場での作業は、通常は一日単位で進捗状況を管理して日報を作成しているので、特定期間は作業を実施する一日単位で定められることが一般的であり、現場の実情にも沿っている。現場の作業の流れと並行させるためには、当日の作業終了後に実績を確認して実績日報を作成するとともに、翌日分の予定日報作成を行うよう構成することが望ましい。尚、ここでの日数計算上は、作業を実施しない休日は除かれる。
【００３３】
さらに、本発明は、本発明にかかるそれぞれの構成の作業日報管理システムに対応して、それぞれのシステムを用いた作業日報の管理方法として構成することもできる。
【００３４】
【発明の実施の形態】
本発明の実施の形態について、図面を用いて以下に詳細に説明する。尚、ここで説明する実施形態では建設工事について例示するが、これはあくまでも実施形態の一例であり、本発明は建設工事に関する日報を対象に限定するものではなく、日報により工程の進捗管理が可能な全ての作業を含むものである。
【００３５】
図１は、従来の作業日報管理システムの構成を示すブロック図である。図２、図３は、本発明にかかる作業日報管理システムのそれぞれ第１、第２の実施形態の構成を示すブロック図である。図４、図５は、それぞれ従来の作業日報管理システム、本発明にかかる作業日報管理システムを用いた作業の進捗管理の概念を示す図である。図６、図７は、それぞれ従来の作業日報管理システム、本発明にかかる作業日報管理システムによる運用の一例を示す図である。図８、図９は、本発明にかかる作業日報管理システムの予定日報において、それぞれ作業を選択する画面、予定情報を入力する画面の一例を示す図である。図１０、図１１は、本発明にかかる作業日報管理システムの実績日報において計画内の実績情報、計画外の実績情報を入力する画面の一例を示す図である。図１２、図１３は、本発明にかかる作業日報管理システムにおいて、それぞれ予定日報に予定情報を入力するフローチャート、実績日報に実績情報を入力するフローチャートである。
【００３６】
図１に示す従来の作業日報管理システムについては従来技術において説明した通りであるが、本発明にかかる作業日報管理システム１０は、図２の通り、入力制御部１１、表示制御部１２、予定日報作成部１３、実績日報作成部１４、計画情報データベース１５、実績情報データベース１６及び予定情報データベース１７から構成されており、端末装置２０から操作できるよう入力制御部１１及び表示制御部１２と接続されている。
【００３７】
本発明にかかる作業日報管理システム１０は、予定日報作成部１３及び予定情報データベース１７を含む点において、従来の作業日報管理システムと相違している。これによって、工事の当初に作成された工程計画を参照しながら、より細かな当日の作業予定を定めた予定日報を作成することにより、現場における作業の進捗状況を反映したより具体的な作業予定を管理することができる。また、当日の作業の開始前に作成された作業予定を参照しながら、作業予定に対応した実績日報を作成することにより、個々の期間における作業予定に対応した、より現場管理に適した作業実績を把握することもできる。
【００３８】
予定日報の作成においては、予定日報作成部１３で計画情報データベース１５に格納された工程計画に関する情報を参照しながら、作業現場からの入力データを受信して予定日報を作成し、ここで作成した作業予定に関する情報は予定情報データベース１７に格納される。予定日報作成には、作業予定に対応する工程計画に関する数値情報をデフォルトで端末装置２０に表示し、端末装置２０からは変更がない場合はそのままの数値を予定情報として採用し、変更がある場合は該当部分を変更値として入力するよう設定してもよい。
【００３９】
図８は、予定日報において作業を選択する画面の一例を示している。これらの情報は計画情報データベース１５から抽出され、通常は一日単位となっている該当期間に計画されている作業の一覧を表示する。ここではそれぞれの作業の計画数量に対応する「当日予定」ついて、当初作成された工程計画に則って、計画数量と同一の値がデフォルトされている。
【００４０】
図９は、予定日報において予定情報を入力する画面の一例を示している。右上の「日当り」の部分が計画情報データベース１５から抽出された計画数量であり、予定情報を入力する「本日予定」の欄には、当初は計画数量である「５０平方メートル」がデフォルトされていたが、ここでは現場の状況を勘案して、予定数量を「４５平方メートル」に変更して入力している。中央部の「資源名称」の欄には、該当する作業に必要な資源に関する情報を計画情報データベース１５から抽出して表示しており、予定数量は前記の「５０平方メートル」から「４５平方メートル」への変更に対応して、自動的に按分計算されるように設定されている。
【００４１】
このようにして作成された予定日報から、作業予定に関するデータを抽出して予定情報データベース１７に格納する。作成後に改めて予定日報を参照したい場合には、予定情報データベース１７に格納された予定データが参照される。
【００４２】
一方、実績日報の作成においては、実績日報作成部１４で予定情報データベース１７に格納された作業予定に関する情報を参照しながら、作業現場からの入力データを受信して実績日報を作成し、ここで作成した作業実績に関する情報は実績情報データベース１６に格納される。実績日報作成には、作業実績に対応する作業予定に関する数値情報をデフォルトで端末装置２０に表示し、端末装置２０からは変更がない場合はそのままの数値を実績情報として採用し、変更がある場合は該当部分を変更値として入力するよう設定してもよい。
【００４３】
図１０は、実績日報において計画内の実績情報を入力する画面の一例を示している。これらの情報は予定情報データベース１７から抽出され、「本日予定」として表示されるとともに、「本日実績」の欄には作業予定に則って、予定数量と同一の値である「４５平方メートル」がデフォルトされている。ここでは現場の実績を反映して、実績数量を「４９．５平方メートル」に変更して入力している。中央部の「資源名称」の欄には、該当する作業に必要な資源に関する情報を予定情報データベース１７から抽出して表示しており、実績数量は前記の「４５平方メートル」から「４９．５平方メートル」への変更に対応して、自動的に按分計算されるように設定されている。
【００４４】
図１０においては、作業予定に対しての進捗を実績として入力しているが、実際に作業現場においては予定された作業のみでなく、当初は予定されていなかった計画外の作業を実施している場合もある。このような場合は、計画外の作業も実績情報に反映することが必要である。
【００４５】
図１１は、実績日報において計画外の実績情報を入力する画面の一例を示している。ここでは当初予定していなかったコンクリートを使用してしまった例を示している。中央部の「資源名称」の欄には、「生コンクリート」の予定数量「０」に対する実績数量が「１００」として追記され、併せて「実績金額」が入力されている。このように計画外の数値も入力できるよう構成することにより、より正確な現場の実績情報を把握することが可能になる。
【００４６】
このようにして作成された実績日報から、作業実績に関するデータを抽出して実績情報データベース１６に格納する。作成後に改めて実績日報を参照したい場合には、実績情報データベース１６に格納された実績データが参照される。
【００４７】
図３は、本発明にかかる作業日報管理システムの、第２の実施形態を示している。第２の実施形態においては、図２に示した第１の実施形態に比して、予定日報データベース１８及び実績日報データベース１９が追加されている。作成した予定日報及び実績日報に関するデータは、日報としての形式に則したデータでデータベースに格納してもよい。
【００４８】
尚、これらの実施形態の説明においては、計画情報等に関するデータをそれぞれ異なるデータベースに格納することとしているが、それぞれのデータを区別して格納されているのであれば、同一のデータベース内で異なるテーブルを設けたり、同一のテーブル内で情報の種別を識別できるようなフィールドを設けるよう構成してもよい。
【００４９】
図４、図５は、それぞれ従来の作業日報管理システム、本発明にかかる作業日報管理システムを用いた作業の進捗管理の概念を示したものであるが、その相違点については解決課題において説明した通りであり、本発明により現場の運用実態に則した進捗管理を行うことができる。
【００５０】
図６、図７は、それぞれ従来の作業日報管理システム、本発明にかかる作業日報管理システムによる運用の一例を示したものであるが、その相違点については解決課題において説明した通りであり、本発明により実質的な作業の進捗状況を適格に把握することができる。
【００５１】
図１２を用いて、本発明にかかる作業日報管理システムにおいて予定日報に予定情報を入力するフローについて説明する。この例では、現場における作業の進捗を、一日単位で管理することとしている。
【００５２】
まず、予定日報を作成するために計画情報データベースから、翌日分の作業の計画数量に関するデータを抽出する（Ｓ０１）。抽出した計画数量に関するデータは、予定日報における予定編集画面に予定情報のデフォルトとして表示される（Ｓ０２）。
【００５３】
ここで現場の管理者は計画数量に変更があるか否かを確認し（Ｓ０３）、計画数量に変更がない場合は、デフォルトで表示されたデータを予定数量として決定する（Ｓ０５）。計画数量に変更がある場合は、翌日の作業予定を勘案して新たに設定した予定数量を入力する（Ｓ０４）。入力された作業の予定数量に対して、作業に含まれるそれぞれの資源に関する予定数量は、自動的に按分計算されて表示される（Ｓ０６）。
【００５４】
次に、自動計算して表示された資源の配分について、変更があるか否かを確認し（Ｓ０７）、変更がある場合には、該当部分についての資源別の予定数量を新たに変更入力する（Ｓ０８）。変更がない場合には、按分された資源の数量を予定数量に決定する（Ｓ０９）。
【００５５】
このように決定された予定数量は、予定情報データベースに記録され（Ｓ１０）、予定日報の作成が終了する。予定日報の作成作業は、通常は前日の作業終了後、又は当日の作業開始前に一日単位で行われる。
【００５６】
次に、図１３を用いて、本発明にかかる作業日報管理システムにおいて実績日報に実績情報を入力するフローについて説明する。この例でも図１２の場合と同様に、現場における作業の進捗を一日単位で管理することとしている。
【００５７】
まず、実績日報を作成するために予定情報データベースから、当日分の作業の予定数量に関するデータを抽出する（Ｓ１１）。抽出した予定数量に関するデータは、実績日報における実績編集画面に実績情報のデフォルトとして表示される（Ｓ１２）。
【００５８】
ここで現場の作業実績を把握した管理者は、予定数量と実績数量が相違しているか否かを確認し（Ｓ１３）、予定数量と相違していない場合は、デフォルトで表示されたデータを実績数量として決定する（Ｓ１５）。予定数量と相違している場合は、これに対応する当日の作業実績を実績数量として入力する（Ｓ１４）。
【００５９】
次に、当初の作業予定には含まれていなかった予定外の作業を行ったか否かを確認し（Ｓ１６）、予定外の作業を行った場合には、予定外の作業についての実績数量を新たに変更入力する（Ｓ１７）。予定外の作業を行っていない場合には、作業予定に対応した実績を実績数量に決定する（Ｓ１８）。
【００６０】
このように決定された実績数量は、実績情報データベースに記録され（Ｓ１９）、実績日報の作成が終了する。実績日報の作成作業は、通常は当日の作業終了後に一日単位で行われる。
【００６１】
【発明の効果】
本発明により、直近時の作業実績を反映して当初の工程計画に対する当日の作業予定を作成し、当日の作業予定に対する実績を把握することにより、作業現場の実情に即した作業の進捗管理を実現することができる。
【００６２】
具体的には、工事の当初に作成された工程計画を参照しながらより細かな作業予定を定める予定日報を作成することにより、現場における作業の進捗状況を反映したより具体的な作業予定を管理することができる。また、作業の開始前に作成された作業予定を参照しながら作業予定に対応した実績日報を作成することにより、作業予定に対応したより現場の実情を反映した作業実績を把握することができる。
【図面の簡単な説明】
【図１】従来の作業日報管理システムの構成を示すブロック図である。
【図２】本発明にかかる作業日報管理システムの第１の実施形態の構成を示すブロック図である。
【図３】本発明にかかる作業日報管理システムの第２の実施形態の構成を示すブロック図である。
【図４】従来の作業日報管理システムを用いた作業の進捗管理の概念を示す図である。
【図５】本発明にかかる作業日報管理システムを用いた作業の進捗管理の概念を示す図である。
【図６】従来の作業日報管理システムによる運用の一例を示す図である。
【図７】本発明にかかる作業日報管理システムによる運用の一例を示す図である。
【図８】本発明にかかる作業日報管理システムの予定日報において作業を選択する画面の一例を示す図である。
【図９】本発明にかかる作業日報管理システムの予定日報において予定情報を入力する画面の一例を示す図である。
【図１０】本発明にかかる作業日報管理システムの実績日報において計画内の実績情報を入力する画面の一例を示す図である。
【図１１】本発明にかかる作業日報管理システムの実績日報において計画外の実績情報を入力する画面の一例を示す図である。
【図１２】本発明にかかる作業日報管理システムにおいて予定日報に予定情報を入力するフローチャートである。
【図１３】本発明にかかる作業日報管理システムにおいて実績日報に実績情報を入力するフローチャートである。
【符号の説明】
１０　　作業日報管理システム
１１　　入力制御部
１２　　表示制御部
１３　　予定日報作成部
１４　　実績日報作成部
１５　　計画情報データベース
１６　　実績情報データベース
１７　　予定情報データベース
１８　　予定日報データベース
１９　　実績日報データベース
２０　　端末装置
【図１】
2004086377.tif 000003
【図２】
2004086377.tif 000004
【図３】
2004086377.tif 000005
【図４】
2004086377.tif 000006
【図５】
2004086377.tif 000007
【図６】
2004086377.tif 000008
【図７】
2004086377.tif 000009
【図８】
2004086377.tif 000010
【図９】
2004086377.tif 000011
【図１０】
2004086377.tif 000012
【図１１】
2004086377.tif 000013
【図１２】
2004086377.tif 000014
【図１３】
2004086377.tif 000015